(57)【要約】【課題】蓋板を開いた角度に応じて効果音を制御することのできる電子楽器を提供すること。【解決手段】電子楽器１０に、演奏操作子３１の操作に応じて楽音信号を発生する発音システムと、マイクロフォン２７と、マイクロフォン２７が収音した音から効果音信号を生成する発音システムと、楽音信号に基づいて音を発生する通常スピーカー２８と、効果音信号に基づいて音を発生する効果音用スピーカー２９とを設けた。また、開閉可能な蓋板１９と、蓋板１９の角度を２０度にして蓋板１９を支持する長支持棒２１と、蓋板１９の角度を５度にして蓋板１９を支持する短支持棒２２部とを設けた。そして、長支持棒２１に接触子２５を設けて、それに対向する部分にスイッチ２６を設け、蓋板１９が２０度の角度で開いたときに、接触子２５がスイッチ２６に接触して発音システムが効果音発生可能な状態になるようにした。【選択図】  図７
2004341000.tif 000002
【特許請求の範囲】
【請求項１】
演奏操作子の操作に応じて楽音信号を生成する楽音信号生成部と、
所定箇所に設置されたマイクロフォンと、
前記マイクロフォンが集音した音から効果音信号を生成する効果音信号生成部と、
前記楽音信号生成部が生成する楽音信号および前記効果音信号生成部が生成する効果音信号に基づいて音を発生するスピーカーとを備えたの電子楽器であって、
楽器本体に傾斜角度を変更可能な状態で設けられた蓋板と、
前記蓋板の傾斜角度を変えて前記蓋板を支持する支持部と、
前記蓋板または前記支持部の状態に応じて、前記効果音信号に基づく音を前記スピーカーから発音可能な状態と、発音不可の状態とに切り換える効果音切換部と
を備えたことを特徴とする電子楽器。
【請求項２】
前記スピーカーを、前記楽音信号生成部が生成する楽音信号に基づいて音を発生する楽音用スピーカーと、前記効果音信号生成部が生成する効果音信号に基づいて音を発生する効果音用スピーカーとで構成し、前記蓋板の傾斜角度に応じて、前記効果音切換部が、前記効果音信号に基づく音を前記効果音用スピーカーから発音可能な状態と、発音不可の状態とに切り換えるようにした請求項１に記載の電子楽器。
【請求項３】
前記支持部の状態を検出するセンサを設け、前記センサの検出結果に応じて、前記効果音信号に基づく音を発音可能な状態と、発音不可の状態とに切り換えるようにした請求項１または２に記載の電子楽器。
【発明の詳細な説明】
【０００１】
【発明の属する技術分野】
本発明は、蓋板を備えた電子楽器に関する。
【０００２】
【従来の技術】
従来から、鍵盤を備えたピアノ型の電子楽器が用いられている。このような、電子楽器の中に、鍵盤の操作に応じて楽音を生成する楽音生成部と、電子楽器が発生する音や会場からの反射音などから効果音を生成する効果音生成部とを備え、楽音生成部が生成する楽音信号と効果音生成部が生成する効果音信号とに基づく音をスピーカーから発生する電子楽器がある（例えば、特許文献１参照）。すなわち、この電子楽器には、複数のマイクロフォンが設けられており、鍵盤操作に応じた楽音だけでなくマイクロフォンが集音した音も加工して、スピーカーから流すことにより、立体的な音の響きを生み出せるようになっている。これによって、演奏会場で演奏しているような臨場感を伴った演奏ができる。
【０００３】
【発明が解決しようとする課題】
しかしながら、前述した従来の電子楽器として、例えばグランドピアノ型のものを使用した場合、蓋板を開けたときも閉じたときも同様の効果音が発生して、蓋板の状態に合わない音で演奏が行われてしまう。すなわち、蓋板が閉じられているにも拘わらず、スピーカーから効果音が出力されてしまい、蓋板の状態にあっていない効果音が生成されてしまうことがある。このため、アコーステックのグランドピアノによる演奏とは、異なる音による演奏になってしまうという問題がある。
【０００４】
【発明の概要】
本発明は、上記問題に対処するためになされたもので、その目的は、蓋板の傾斜角度に応じて効果音を制御することのできる電子楽器を提供することである。
【０００５】
上記の目的を達成するため、本発明にかかる電子楽器の構成上の特徴は、演奏操作子の操作に応じて楽音信号を生成する楽音信号生成部と、所定箇所に設置されたマイクロフォンと、マイクロフォンが集音した音から効果音信号を生成する効果音信号生成部と、楽音信号生成部が生成する楽音信号および効果音信号生成部が生成する効果音信号に基づいて音を発生するスピーカーとを備えたの電子楽器であって、楽器本体に傾斜角度を変更可能な状態で設けられた蓋板と、蓋板の傾斜角度を変えて蓋板を支持する支持部と、蓋板または支持部の状態に応じて、効果音信号に基づく音をスピーカーから発音可能な状態と、発音不可の状態とに切り換える効果音切換部とを備えたことにある。
【０００６】
前記のように構成した本発明の電子楽器は、開閉することにより傾斜角度を変化させることのできる蓋板および蓋板を傾斜角度を変えて支持する支持部を備えており、効果音切換部の作用によって蓋板または支持部の状態に応じて効果音を出力可能な状態にしたり、出力不能な状態にしたりすることができる。すなわち、この電子楽器では、蓋板または支持部の状態によって、効果音の付与許可を行うようになっている。例えば、効果音の発生をオンオフに設定するための操作子を設け、この操作子をオン状態に設定したときに、効果音の付与を許可する状態になるように蓋板または支持部を操作すれば、効果音が発生するようにすることもできる。
【０００７】
したがって、蓋板または支持部の操作により、演奏操作子の操作に応じて楽音信号生成部が生成する楽音信号に基づく楽音だけをスピーカーから発生できる状態にしたり、楽音に加えて、効果音信号生成部が生成する効果音信号に基づく効果音をスピーカーから発生できる状態にしたりすることができる。このため、蓋板または支持部の状態に応じて、臨場感のある反響音等の効果音を伴った演奏をしたり、こもった音で演奏したりすることができる。
【０００８】
この場合のスピーカーは、複数個で構成することができ、すべてのスピーカーから楽音と効果音との双方を発生させたり、楽音用と効果音用との２種類のスピーカーに分けてそれぞれのスピーカーから楽音や効果音を発生させたりすることができる。また、例えば、本発明の電子楽器をグランドピアノの形に形成すると、アコーステックのグランドピアノと同様に、蓋板を大きく開けたときに、反響音等からなる効果音を伴った演奏ができ、蓋板を閉じたときや小さく開けたときには、効果音のない音で演奏することができる。これによって、電子楽器を用いて、アコーステックのグランドピアノと同様の音での演奏が可能になる。
【０００９】
また、本発明にかかる電子楽器の他の構成上の特徴は、スピーカーを、楽音信号生成部が生成する楽音信号に基づいて音を発生する楽音用スピーカーと、効果音信号生成部が生成する効果音信号に基づいて音を発生する効果音用スピーカーとで構成し、蓋板の傾斜角度に応じて、効果音切換部が、効果音信号に基づく音を効果音用スピーカーから発音可能な状態と、発音不可の状態とに切り換えるようにしたことにある。
【００１０】
これによると、効果音用スピーカーを、楽音用スピーカーと別にして、効果音用スピーカーとしての機能効率がより高まる位置に設置することができる。この結果、音響効果がより高まる。また、楽音用スピーカーを、アコーステックピアノの発音部と同じように蓋板と楽器本体に囲まれた位置に設置することで、アコーステックピアノに近い音響効果が得られる。すなわち、これによると、電子楽器内で音が響く効果が生じる。また、効果音用スピーカーを電子楽器の下部に設けることで、本来アコーステックピアノにはない効果音であるが、電子楽器の演奏による演奏会場での残響等の効果音を生成することができる。
【００１１】
また、本発明にかかる電子楽器のさらに他の構成上の特徴は、支持部の状態を検出するセンサを設け、センサの検出結果に応じて、効果音信号に基づく音を発音可能な状態と、発音不可の状態とに切り換えるようにしたことにある。
【００１２】
この場合、例えば、蓋板が閉じた状態になって支持部に支持されていないときや、蓋板が少し開いた状態で支持部に支持されているときには、センサは、支持部を検出せず、蓋板が大きく開いた状態で支持部に支持されているときには、センサは、支持部を検出するように構成することができる。これによると、蓋板が大きく開いて支持部がセンサに検出されているときだけ、効果音がスピーカーから発音可能な状態になる。
【００１３】
また、支持部を棒状体で構成するとともにセンサをスイッチで構成し、支持部を回転して起立状態にすることにより先端部で蓋板を支持できるようにし、支持部が蓋板を支持したときに、支持部の後端部がスイッチを押す構造にしておくことができる。これによると、支持部やセンサを簡単な構造にすることができる。
【００１４】
また、本発明に係る効果音切換部は、プログラムによって、効果音信号生成部による効果音信号の生成を実行または停止させる制御を行うものであってもよいし、効果音信号生成部によって生成された効果音信号を効果音を発生するスピーカーに送信したり送信しなかったりする制御を行うようにしてもよい。また、スピーカーが、楽音用スピーカーと効果音用スピーカーとで構成される場合には、効果音用スピーカーをオンオフ制御するものであってもよい。
【００１５】
また、効果音切換部を、蓋板が大きな傾斜角度で開いたときに、蓋板を支持する支持部によってオン作動またはオフ作動されるスイッチで構成し、スイッチの作動によって、マイクロフォンがオン状態になるようにすることもできる。これによると、スイッチでマイクロフォンをオン状態にすることにより、マイクロフォンで周囲の音を集音して効果音を発生するスピーカーから効果音を発生させることができるとともに、演奏操作子の操作に応じて楽音信号発生部が発生する楽音信号に基づく楽音を楽音を発生するスピーカーから発生させることができる。
【００１６】
また、マイクロフォンをオフ状態にすることにより、演奏操作子の操作に応じて楽音信号発生部が発生する楽音信号に基づく楽音だけを楽音を発生するスピーカーから発生させることができる。このように、電子楽器を構成すると、スイッチで構成される効果音切換部でマイクロフォンをオンオフ制御するだけの簡単な操作で、効果音の制御ができる。
【００１７】
【発明の実施の形態】
以下、本発明の一実施形態を図面を用いて説明する。図１ないし図３は、同実施形態にかかる電子楽器１０を示している。この電子楽器１０は、グランドピアノ型に形成されており、３個の脚部１１ａ，１１ｂ，１１ｃと、脚部１１ａ，１１ｂ，１１ｃの上端部に設けられた楽器本体１２とで構成されている。そして、楽器本体１２の上面前部（演奏者側）に、複数の白鍵１３ａと黒鍵１３ｂとで構成される鍵盤１３が設けられ、鍵盤１３の後方に、複数のパネル操作子１４ａを備えた操作パネル１４が設けられている。操作パネル１４の中央部には、機器の設定状態や演奏状態を画面上に映し出すための表示器１４ｂが設けられている。
【００１８】
また、楽器本体１２の下面における前部側中央から２本の取付棒１５ａ，１５ｂが下方に向って延びており、その下端部に、３個のペダル１６ａ，１６ｂ，１６ｃを備えたペダル部１６が取り付けられている。このペダル１６ａ，１６ｂ，１６ｃと鍵盤１３を構成する白鍵１３ａと黒鍵１３ｂとで本発明の演奏操作子が構成される。
【００１９】
鍵盤１３、操作パネル１４およびペダル部１６は、電子楽器１０を演奏するためのものであり、電源スイッチ（図示せず）をオン状態にして、白鍵１３ａと黒鍵１３ｂとを順次押鍵操作することにより演奏を行うことができる。その際、操作パネル１４が備えるパネル操作子１４ａを操作することにより、効果音のオンオフ制御や音色、音量、自動演奏などに関する種々の設定が行え、ペダル１６ａ，１６ｂ，１６ｃを操作することにより、音を持続させたり、柔らかな音にしたりすることができる。
【００２０】
楽器本体１２における操作パネル１４の後方部分は、鍵盤１３および操作パネル１４が設置された部分よりも高くなった天板部１７に形成され、天板部１７の上面前端側に、譜面を置くための譜面板１８が設けられている。また、天板部１７の後部側部分は、一端（図１および図２の左側の端部）を中心として上下に回転することにより楽器本体１２の上面を開閉する蓋板１９で構成されている。蓋板１９は、連結部材（図４参照）１９ａ，１９ｂを介して楽器本体１２の一端部にヒンジ連結されている。
【００２１】
図４は、蓋板１９を取り外した状態の楽器本体１２の平面を示しており、楽器本体１２における蓋板１９の前端側他端に対応する部分に、本発明の支持部としての一対の長支持棒２１と短支持棒２２が、他端部を中心として上下に回転可能な状態で取り付けられている。長支持棒２１と短支持棒２２とは、同軸的に取り付けられており、長支持棒２１は長く、短支持棒２２は短く設定されている。そして、長支持棒２１の軸側部分（他端側部分）における上面には、短支持棒２２を収容できる凹部（図５参照）２１ａが設けられており、この凹部２１ａ内に収容された状態で短支持棒２２が取り付けられている。
【００２２】
長支持棒２１の一端側を上方に持ち上げて長支持棒２１を回転させると、短支持棒２２は、長支持棒２１とともに回転するが、短支持棒２２は、長支持棒２１と分離して単体で上方に回転することができる。また、図５に示すように、蓋板１９の裏面には、長支持棒２１の先端部と係合する凹部が形成された係合部２３と短支持棒２２の先端部と係合する凹部が形成された係合部２４とが設けられている。
【００２３】
したがって、蓋板１９の他端側を持ち上げて、長支持棒２１の先端部を係合部２３に係合させると、蓋板１９は大きく開いた状態に維持され、短支持棒２２の先端部を係合部２４に係合させると、蓋板１９は小さく開いた状態に維持される。大きく開いたときの蓋板１９の角度ａは２０度に設定され、小さく開いたときの蓋板１９の角度ｂは５度に設定されている。
【００２４】
また、長支持棒２１の後端部（他端部）には、針状の接触子２５が取り付けられ、楽器本体１２内における接触子２５の先端部と対向する位置にスイッチ２６が設けられている。この接触子２５とスイッチ２６とで後述する本発明の効果音切換部としての支持棒起立センサが構成される。接触子２５は、長支持棒２１の回転に従って移動するようになっており、蓋板１９を持ち上げて、長支持棒２１を起立させ、長支持棒２１の先端部を係合部２３の凹部に位置決めしたときに、スイッチ２６を押してスイッチ２６をオン状態にする。
【００２５】
また、楽器本体１２の前部側の両側部分と、後部側の両側部分とに、それぞれ、電子楽器１０が発生する音や電子楽器１０の周囲の音を入力するためのマイクロフォン２７ａ，２７ｂ，２７ｃ，２７ｄが設けられている。マイクロフォン２７ａ，２７ｂは、天板部１７の下面に固定されており、天板部１７を取り付けたとき楽器本体１２の内部に位置する。また、マイクロフォン２７ｃ，２７ｄは、蓋板１９の下方位置であって、楽器本体１２と蓋板１９とで囲まれた位置に設置されている。
【００２６】
そして、楽器本体１２の中央両側部分における蓋板１９の下方位置に、楽器本体１２と蓋板１９とで囲まれた状態で、一対の通常演奏用スピーカー２８ａ，２８ｂが上方に向けて設置されている。また、その前部側に一対のモニタ用スピーカー２８ｃ，２８ｄが設けられている。モニタ用スピーカー２８ｃ，２８ｄは、天板部１７の下面に固定されており、天板部１７を取り付けたとき楽器本体１２の内部に位置する。
【００２７】
そして、モニタ用スピーカー２８ｃ，２８ｄから発音された演奏音が、天板部１７の前面（操作パネル１４の後方）に設けられた放音口（図示せず）から演奏者に向けて放音される。また、楽器本体１２の下面における両側部分には一対の効果音用スピーカー２９ａ，２９ｂが設けられている。通常演奏用スピーカー２８ａ，２８ｂとモニタ用スピーカー２８ｃ，２８ｄとで本発明の楽音用スピーカーが構成される。すなわち、楽音用スピーカーは、楽器本体１２の内部に設けられ、効果音用スピーカー２９ａ，２９ｂは、楽器本体１２の外部に設けられている。
【００２８】
また、電子楽器１０には、後述する信号処理システムが備わっており、前述した鍵盤１３、操作パネル１４、ペダル部１６およびスイッチ２６は、図６に示したバス３０を介して信号処理システムに接続されている。さらに、電子楽器１０には、前述した各装置等の外、図６に示した各装置が設けられており、これらの装置も、バス３０を介して互いに接続されている。
【００２９】
演奏操作子３１は、前述したように、鍵盤１３を構成する白鍵１３ａおよび黒鍵１３ｂと、ペダル部１６が備えるペダル１６ａ，１６ｂ，１６ｃとで構成される。そして、各白鍵１３ａおよび黒鍵１３ｂを押圧する動作と、その押圧を解除する動作を検出して楽音の発音制御指示を行う。また、ペダル部１６は操作に応じて発音の状態を変更する処理の指示を行う。白鍵１３ａ等にはそれぞれセンサ（図示せず）が設けられており、このセンサによって白鍵１３ａ等の状態が検出される。操作パネル１４には、複数のパネル操作子１４ａが設けられており、これらのパネル操作子１４ａを操作することにより、種々の設定を行う。
【００３０】
支持棒起立センサ３２は、接触子２５とスイッチ２６とで構成され、蓋板１９を持ち上げて、長支持棒２１を起立させ、長支持棒２１の先端部を係合部２３の凹部に位置決めしたときに、接触子２５がスイッチ２６を押してオン状態になる。操作パネル１４の効果音設定用のパネル操作子１４ａがオン状態になり、かつ、この支持棒起立センサ３２がオン状態になったときに、効果音の生成が可能な状態になり効果音が発生されるように設定されている。
【００３１】
音源３３は音の波形を作り、この波形に対して、増幅器等からなるサウンドシステム３４で音量を増幅する等の処理がなされる。この際、波形はＤＡ変換されたり、デジタル信号処理によって効果が付与されたりする。そして、処理された波形に対応する音が、通常演奏用スピーカー２８ａ，２８ｂとモニタ用スピーカー２８ｃ，２８ｄとからなる楽音用の通常スピーカー２８から出力される。音源３３やサウンドシステム３４等で発音システムが構成されており、この発音システムに本発明の楽音生成部が含まれる。また、この発音システムには、後述する本発明の効果音信号生成部も含まれる。
【００３２】
信号処理システムは、ＲＯＭ３５、ＲＡＭ３６、ＣＰＵ３７およびタイマー３８で構成されており、これらによって演奏に関する各処理が実行される。ＲＯＭ３５は、実行されるプログラムを記憶する読み出し専用のメモリであり、ＲＡＭ３６は、所定のプログラムを実行するために必要な各種レジスタ、フラグなどを含むワーキングメモリとしての書き込み可能なメモリである。
【００３３】
ＣＰＵ３７は、ＲＯＭ３５が記憶するプログラムを中央演算処理装置として実行し、タイマー３８は、そのプログラム実行中の時間を計測する。また、ＣＰＵ３７は、演奏操作子３１、パネル操作子１４ａ、支持棒起立センサ３２等から送信される信号に基づいて指示信号を発音システムに送信し、通常スピーカー２８および効果音用スピーカー２９の発音を制御する。
【００３４】
また、電子楽器１０は、記憶装置３９および記憶装置３９を介して曲データや種々のプログラムを記憶する記憶媒体３９ａも備えている。この記憶媒体３９ａが記憶する信号データは、適宜、読み出すことが可能になっている。その場合、信号データは、音源３３によって楽音に形成され、サウンドシステム３４を介して通常スピーカー２８や効果音用スピーカー２９から出力される。また、マイクロフォン２７ａ，２７ｂ，２７ｃ，２７ｄからなるマイクロフォン２７はインターフェース４０を介してバス３０に接続されており、入力される外部の音を信号に変換して発音システムに送信する。
【００３５】
マイクロフォン２７は、通常スピーカー２８から出力された音と周辺の音とを集音し、その集音した音に対して、発音システムが、所望の音場効果、例えば、残響の付与や音量を調整して、効果音用スピーカー２９から出力される。また、マイクロフォン２７が集音する音を記憶媒体３９ａに記憶させることもできる。
【００３６】
つぎに、このように構成した電子楽器１０を演奏する場合について説明する。まず、静かに演奏したい場合には、蓋板１９を閉じた状態か、または、短支持棒２２を係合部２４に係合させて蓋板１９を５度の角度で開いた状態にする。そして、電源スイッチをオンにするとともに、操作パネル１４の各パネル操作子１４ａを設定したのち、鍵盤１３およびペダル部１６の演奏操作子３１を操作することにより演奏する。この場合、操作パネル１４における効果音用のパネル操作子１４ａをオンに設定していても、蓋板１９の角度が小さいため、支持棒起立センサ３２がオフ状態になって、効果音は発生しない。したがって、鍵盤１３およびペダル部１６の操作に基づく楽音だけが、通常スピーカー２８から静かに出力される。
【００３７】
また、効果音を伴った演奏をしたい場合には、長支持棒２１を係合部２３に係合させて蓋板１９を２０度の角度で開いた状態にする。そして、前述した操作により演奏する。この場合、操作パネル１４における効果音用のパネル操作子１４ａはオンに設定する。これによって、通常スピーカー２８からの音に加えて、効果音用スピーカー２９から効果音が出力され、迫力のある演奏が可能になる。これによって、電子楽器１０を狭い室内等で演奏していても、残響などの音響効果により大ホールで演奏しているような感覚を得ることができる。
【００３８】
この場合の電子楽器１０の制御は、図７に示したフローチャートに従って行われる。すなわち、電源スイッチのオン操作と同時に、ＲＯＭ３５に記憶された図７に示したフローチャートのプログラムが読み出され順次実行される。まず、蓋板１９を閉じた状態か、または、５度の角度で開いた状態で電源スイッチをオンにすると、このプログラムは、ステップ１００において開始され、ステップ１０２において、初期化が行われる。この初期化処理によって信号処理システムはリセットされ初期設定状態になる。
【００３９】
つぎに、ステップ１０４において、ＣＰＵ３７は、操作パネル１４の効果音用のパネル操作子１４ａがオン状態であるか否かの判定を行う。この場合、効果音用のパネル操作子１４ａがオフ状態に設定されていれば、「ＮＯ」と判定して、ステップ１０６に進み、効果音生成機能をオフに設定する。これによって、発音システムの効果音信号発生部は効果音信号を生成しない状態に設定される。ついで、プログラムはステップ１０８に進み、操作パネル１４における効果音用のパネル操作子１４ａ以外のパネル操作子１４ａの入力があるか否かの判定が行われる。効果音用のパネル操作子１４ａ以外のパネル操作子１４ａの入力があれば、ステップ１０８において、「ＹＥＳ」と判定して、ステップ１１０に進む。
【００４０】
ステップ１１０においては、パネル操作子１４ａの入力指示に応じた処理が実行される。この場合、ＣＰＵ３７は、発音システムの各装置に対して、入力指示に基づく信号を送信する。ステップ１１０の処理が終了すると、プログラムはステップ１１２に進む。また、ステップ１０８において、効果音用のパネル操作子１４ａ以外のパネル操作子１４ａの入力がなく「ＮＯ」と判定すると、ステップ１１２に進む。そして、ステップ１１２において、鍵盤１３の入力があるか否かの判定が行われる。鍵盤１３の操作が行われていなければ、「ＮＯ」と判定してステップ１１４に進み、鍵盤１３の操作が行われていれば、「ＹＥＳ」と判定してステップ１１６に進む。
【００４１】
ステップ１１６においては、鍵盤１３の操作が押鍵操作であるか否かが判定される。ここでは、鍵盤１３の操作は押鍵操作であるとして、「ＹＥＳ」と判定してステップ１１８に進む。ステップ１１８では、押鍵操作に対応した演奏信号がＣＰＵ３７を介して発音システムで生成される。そして、プログラムはステップ１１４に進み、鍵盤１３以外の演奏操作子３１の入力があるか否かの判定が行われる。鍵盤１３以外の演奏操作子３１の入力がなければ、ステップ１１４において、「ＮＯ」と判定して、ステップ１２０に進み、鍵盤１３以外の演奏操作子３１の入力があれば、ステップ１１４において、「ＹＥＳ」と判定して、ステップ１２２に進む。ステップ１２２においては、ペダル部１６の入力に応じた処理が行われる。
【００４２】
そして、ステップ１２０においては、演奏操作子３１の入力指示に応じた楽音信号の生成処理が行われる。この場合、鍵盤１３の操作がなくステップ１１２で「ＮＯ」と判定していれば、楽音信号は生成されない。また、ステップ１１２，１１４で「ＹＥＳ」と判定していれば、鍵盤１３の操作に基づく楽音にペダル部１６の操作に基づく発音状態の変更処理を加えた楽音の信号が生成される。また、ステップ１１２で「ＹＥＳ」と判定し、ステップ１１４で「ＮＯ」と判定していれば、鍵盤１３の操作に基づく楽音だけに基づく楽音信号が生成される。そして、生成された楽音信号に基づいて楽音が通常スピーカー２８から発生する。
【００４３】
ステップ１２０での処理が終了すると、プログラムはステップ１２４に進み、長支持棒２１が起立状態になって蓋板１９の角度が２０度になっているか否かを判定する。蓋板１９は閉じた状態かまたは５度の角度で開いた状態になっているため、ステップ１２４では、「ＮＯ」と判定してステップ１２６に進む。そして、ステップ１２６においては、効果音を発生しない処理が行われる。この処理は、マイクロフォン２７から周辺の音が取り込まれても、発音システムを介して、効果音用スピーカー２９からその効果音信号に基づく音を発音しないための処理であり、発音システムに効果音信号を生成させないことにより行う。
【００４４】
そして、プログラムは、ステップ１０４に進み、以下前述した各ステップでの処理が繰り返される。その間、前述した操作と同じ操作が繰り返されれば、電子楽器１０は、ステップ１２０で生成した楽音信号に基づく音だけを通常スピーカー２８から発生させ続ける。また、ステップ１１６において、鍵盤１３の操作が押鍵操作でなく、「ＮＯ」と判定するとプログラムはステップ１２８に進む。ステップ１２８においては、離鍵した白鍵１３ａまたは黒鍵１３ｂに対応する演奏信号を停止する処理が行われる。これによって、ステップ１２０において、その演奏信号以外の演奏信号に基づく楽音信号が生成され、楽音信号に基づく楽音が通常スピーカー２８から出力される。
【００４５】
その後も、演奏操作子３１やパネル操作子１４ａの操作に応じた楽音信号に基づく音が操作に従って変化しながら発音される。その間に、操作パネル１４の効果音用のパネル操作子１４ａをオン状態にして、ステップ１０４において、「ＹＥＳ」と判定すると、プログラムは、ステップ１３０に進む。ステップ１３０では、効果音生成機能をオンに設定する処理が行われる。また、この場合でも、蓋板１９は閉じた状態かまたは５度の角度で開いた状態になっているため、ステップ１２４において、「ＮＯ」と判定して、ステップ１２６において、効果音を発生しない処理が行われる。
【００４６】
また、長支持棒２１を起立させてその先端部を係合部２３の凹部に位置決めし、蓋板１９を２０度の角度で開いた状態にすると、ステップ１２４において、「ＹＥＳ」と判定するため、プログラムは、ステップ１３２に進む。この際、操作パネル１４の効果音用のパネル操作子１４ａがオン状態に設定されていれば、「ＹＥＳ」と判定して、ステップ１３４に進み、楽音とともに、効果音を発生する処理が行われる。また、効果音用のパネル操作子１４ａがオフ状態に設定されてステップ１３２で「ＮＯ」と判定すると、ステップ１２６に進んで、効果音を発生しない処理が行われ、楽音だけが発生する。
【００４７】
つぎに、長支持棒２１を起立させてその先端部を係合部２３の凹部に位置決めし、蓋板１９を、２０度の角度に開いた状態で電子楽器１０を演奏する場合にも、電源スイッチをオン状態にすると、プログラムは、ステップ１００において開始され、順次前述した各処理が行われる。この場合には、操作パネル１４における効果音用のパネル操作子１４ａをオンにしたとして、ステップ１０４において、「ＹＥＳ」と判定すると、プログラムは、ステップ１３０に進む。ステップ１３０では、効果音を生成可能な状態に設定する処理が行われる。
【００４８】
そして、ステップ１０８以下前述した処理を行って、ステップ１２０において演奏操作子３１およびパネル操作子１４ａの操作に基づいた楽音信号による音を通常スピーカー２８から出力させる。そして、ステップ１２４に進み、長支持棒２１が起立状態になって蓋板１９の角度が２０度になっているか否かを判定する。蓋板１９は２０度の角度で開いた状態になっているため、ステップ１２４では、「ＹＥＳ」と判定してステップ１３２に進む。そして、ステップ１３２においては、操作パネル１４における効果音用のパネル操作子１４ａがオンであるか否かを判定する。効果音用操作子はステップ１３０においてオンに設定されているため、ここでは「ＹＥＳ」と判定してステップ１３４に進む。
【００４９】
そして、ステップ１３４において、効果音を発生するための処理が実行される。この処理によって、マイクロフォン２７から集音される電子楽器１０の発音や周辺の音が発音システムによって加工され効果音信号として、効果音用スピーカー２９に送信される。そして、効果音用スピーカー２９から効果音信号に基づく効果音が、通常スピーカー２８から出力される楽音信号に基づく音とともに出力される。また、ステップ１３４での処理が終了すると、プログラムは、ステップ１０４に進み、再度前述した各ステップにおける処理が実行される。その間、音響効果の優れた迫力のある演奏が行われる。
【００５０】
また、このプログラムの実行の際に、操作パネル１４における効果音用のパネル操作子１４ａをオフに操作して、ステップ１０４で「ＮＯ」と判定すると、ステップ１０６において効果音をオフに設定する処理が行われる。このため、ステップ１３２においても「ＮＯ」と判定し、プログラムはステップ１２６に進む。そして、ステップ１２６において、効果音を発生させないための処理が実行される。
【００５１】
また、長支持棒２１の先端部を係合部２４の凹部に位置決めし、蓋板１９を５０度の角度で開いた状態か、または蓋板１９を閉じた状態にすると、ステップ１２４において、「ＮＯ」と判定するため、プログラムは、ステップ１２６に進む。この際、操作パネル１４の効果音用のパネル操作子１４ａがオン状態に設定されていても、オフ状態にされていても、ステップ１２６においては、効果音を発生しない処理が行われ、楽音だけが発生する。
【００５２】
このように、このプログラムにおいては、操作パネル１４の効果音用のパネル操作子１４ａがオンに操作され、かつ蓋板１９が２０度の角度で開いた状態になっているときにだけ、効果音が発生され、それ以外のときには、楽音信号に基づく音だけが発生するように制御される。
【００５３】
以上のように、本実施形態では、電子楽器１０をグランドピアノ型に形成して、蓋板１９を開ける角度に応じて効果音を出したり、出さなかったりすることができるようにしている。このため、アコーステックのグランドピアノと同様に、蓋板１９を大きく開けたときに、反響音等からなる効果音を伴った演奏ができ、蓋板１９を閉じたときや小さく開けたときには、反響音の少ないこもった音で演奏することができ、蓋板１９の状態に応じて、臨場感のある演奏をすることができる。これによって、アコーステックのグランドピアノと同様の演奏が可能になる。
【００５４】
また、蓋板１９を支持するための長支持棒２１の後端部に接触子２５を設けるとともに、接触子２５の下端部に対向する部分にスイッチ２６を設けて、支持棒起立センサ３２を構成し、この支持棒起立センサ３２がオン状態になったときに効果音の発生が可能な状態になるようにしている。これによると、簡単な構造で、効果音の切り換え制御が可能になる。
【００５５】
また、前述した実施形態の構成については、適宜、変更実施が可能である。例えば、前記実施形態では、蓋板１９を開く角度を５度と２０度とに設定しているが、この角度はさらに多くの角度に設定することができ、その角度に応じて効果音の音量や音色を変更することもできる。効果音を発生させるときの蓋板１９の角度も２０度に限らず、他の角度や、蓋板１９を閉じたときに発生させることもできる。
【００５６】
さらに、前述した実施形態では、効果音を発生させないための処理を、プログラムによって、効果音信号の生成自体を停止するように制御することによって行っているが、この処理は、サウンドシステム３４から効果音用スピーカー２９に効果音信号を送信しないことによって行ったり、マイクロフォン２７や効果音スピーカー２９をオンオフ制御することによって行ったりしてもよい。
【００５７】
また、マイクロフォン２７、通常スピーカー２８および効果音用スピーカー２９等の個数や設置位置も前述したものに限定するものでなく適宜変更することができる。さらに、支持棒起立センサ３２に代えて、他のセンサを用いることができる。この場合のセンサとしては、蓋板１９の位置を直接的または間接的に検出できるものであればどのようなものでも使用することができる。
【００５８】
例えば、持ち上げられた蓋板１９の端部の高さや傾斜角度を検出するセンサを用いて、蓋板１９の高さや傾斜角度が所定値に達したときにオン状態になり、所定値に達しないときにはオフ状態になるように設定することができる。また、蓋板１９を所定の傾斜角度にして支持する支持部が使われたときに、センサがこれを検出してオン状態になり、支持部が使われないときには、オフ状態になるように設定することもできる。これによると、蓋板１９の高さや傾斜角度に関係なく、蓋板１９を支持する支持部が起立したときにセンサがこれを検出してオン状態になる。
【図面の簡単な説明】
【図１】本発明の一実施形態による電子楽器を示す平面図である。
【図２】図１に示した電子楽器の正面図である。
【図３】図１に示した電子楽器の側面図である。
【図４】図１に示した電子楽器の蓋板を外した状態を示す平面図である。
【図５】長支持棒または短支持棒とそれに対応する係合部とが係合した状態の要部を示す正面図である。
【図６】電子楽器が備える各装置を示す構成図である。
【図７】電子楽器が備えるＣＰＵが実行するプログラムを示すフローチャートである。
【符号の説明】
１０…電子楽器、１２…楽器本体、１３…鍵盤、１３ａ…白鍵、１３ｂ…黒鍵、１４…操作パネル、１４ａ…パネル操作子、１６…ペダル部、１６ａ，１６ｂ，１６ｃ…ペダル、１９…蓋板、２１…長支持棒、２２…短支持棒、２３，２４…係合部、２５…接触子、２６…スイッチ、２７…マイクロフォン、２８…通常スピーカー、２９…効果音用スピーカー、３１…演奏操作子、３２…支持棒起立センサ、３３…音源、３４…サウンドシステム、３５…ＲＯＭ、３６…ＲＡＭ、３７…ＣＰＵ。
【図１】
2004341000.tif 000003
【図２】
2004341000.tif 000004
【図３】
2004341000.tif 000005
【図４】
2004341000.tif 000006
【図５】
2004341000.tif 000007
【図６】
2004341000.tif 000008
【図７】
2004341000.tif 000009